(57)【要約】内部の鍵容器を有するロック可能なハウジング（５）と、装置に挿入される鍵のための少なくとも１つの選別手段と、から構成されるキーロック施錠システムのための複数の鍵（２７、３２）を収容及び提供するための多機能装置。この目的のための、鍵（２７、３２）を選択及び前方移動するための操作部（４ｃ）を有する少なくとも１つの任意のタイプの鍵収容箱が提供される。任意のアプリケーション（２４、２５、２５ｂ、３３）に接続される鍵収容箱のハウジング（５）。【選択図】図１
2013545911.tif 000002
【特許請求の範囲】
【請求項１】
ハウジングと、
前記ハウジングの内部に位置する少なくとも１つの鍵収容箱と、
前記鍵を選択及び前方移動するための操作部と、
を備え、
前記少なくとも１つの鍵収容箱は、鍵を選択するために平面内で移動可能である、
複数の鍵を受け入れ及び提供するための装置。
【請求項２】
前記操作部は、可動である、
請求項１に記載の装置。
【請求項３】
前記操作部は、前記鍵を選択するために第一の方向、及び、前記鍵を前方移動するために第二の方向に移動可能である、
請求項１又は２に記載の装置。
【請求項４】
前記装置は、電気機械的選択及び電気機械的前方移動のための手段を備える、
請求項１から３のいずれか１つに記載の装置。
【請求項５】
前記装置は、前記鍵を選択するための第一の電動のドライブ及び前記鍵を前方移動するための第二の電動のドライブを備える、
請求項４に記載の装置。
【請求項６】
前記装置は、前記鍵を選択及び前方移動する動作を制御するためのマイクロプロセッサを備える、
請求項４又は５に記載の装置。
【請求項７】
前記操作部は、タッチ感知ディスプレイとして構成される、
請求項４から６のいずれか１つに記載の装置。
【請求項８】
前記鍵の選択及び前方移動を制御するために、前記操作部は動作可能にスイッチと接続される、
請求項４から７のいずれか１つに記載の装置。
【請求項９】
前記鍵収容箱内の前記鍵が１列に並んで配置される、
請求項１から９のいずれか１つに記載の装置。
【請求項１０】
前記少なくとも１つの鍵収容箱は、前記ハウジングから取り外し可能である、
請求項１から９のいずれか１つに記載の装置。
【請求項１１】
前記ハウジング内部に配置される前記少なくとも１つの鍵収容箱は、詰め込み可能に構成される、
請求項１から１０のいずれか１つに記載の装置。
【請求項１２】
前記鍵は、前記少なくとも１つの鍵収容箱内に保管されるときに、固定されて保持される、
請求項１から１１のいずれか１つに記載の装置。
【請求項１３】
前記装置は、少なくとも１つの追加モジュールと接続されるためのモジュラーシステムであり、前記少なくとも１つの追加モジュールは、少なくとも１つの機械的及び電子的機能を提供する、
請求項１から１２のいずれか１つに記載の装置。
【請求項１４】
請求項１から１３のいずれか１つに記載の装置内に保管されるように構成される鍵。
【請求項１５】
前記鍵は、前記少なくとも１つの鍵収容箱において保管されるときに、固定されて保持される、
請求項１４に記載の鍵。
【発明の詳細な説明】
【技術分野】
【０００１】
本発明は、キーロック施錠システムのための複数の鍵を収容して個別に提供するための多機能装置に関係する。本発明は、内部の鍵容器を有するロック可能なハウジング、及びその鍵容器に付随する挿入される鍵のための少なくとも１つの選別手段を含む。
【背景技術】
【０００２】
建築物のための従来の施錠システムは、様々な設計の平らな鍵をよく使用する。人は、通常、日常生活において、複数の鍵（例：家、職場、及び車両のための）を持ち運ぶ。鍵は、通常は、もっぱら鍵をまとめた状態で運ばれ、個々の鍵は、通常、キーホルダーで結合される。
【０００３】
さらに、DE９４１５２４６２U１において、鍵に適合した受入通路に鍵が挿入される鍵容器が開示される。
【発明の概要】
【発明が解決しようとする課題】
【０００４】
部品及び個別にパッケージ化された商品を整頓され、空間を節約した状態でいわゆる収容箱へ保管することは、かなり長い期間にわたって、自動化技術及び兵器技術の分野において知られている。この状況において、ドラム収容箱及びディスク収容箱は区別され、部品はサークル状及びスロット状の収容箱に配置され、部品は線上に並んで配置される。部品又は加工対象物を収容箱に保管する目的は、通常、個別の部品を素早く取り出しつつ、同時に保管体積を減少することを実現することである。
【０００５】
キーホルダーへの鍵の保管は、多くの欠点を有する。それらは、本発明による鍵収容箱によって回避することができる。また、鍵の秩序正しい保管は、キーホルダーと比較して本発明の重要な利点を表す。なぜならば、収容箱によって体積が著しく減少するためである。
【０００６】
さらに、格納された鍵は、外の影響から保護される。これは、特に、鍵形状の曲げ又は他の変形における外から機械的作用に関連する。これは、施錠の際の障害、又は最悪の場合には鍵が折れることに繋がる。それは、同様に追加コスト、たとえば錠の修理のためのコストに繋がる。
【０００７】
逆の場合、ひとまとまりの鍵は、衣類を損傷し得る。このような損傷は、本発明によって確実に防がれる。なぜならば、しばしば先の尖った鍵の小片とユーザの衣類との接触を回避するからである。
【０００８】
ひとまとまりの鍵の主な欠点は、特定の必要な鍵が、複数の鍵からユーザによって選択されなくてはいけないことである。この欠点は、本発明によって回避される。なぜならば、人間工学的な選択及び作動のメカニズムと連結した鍵の秩序正しい保管によって、取り扱い及び選択のために必要な時間が大いに減少するためである。
【０００９】
本発明の目的は、任意の種類の鍵を保管するための装置を提供することである。それは、必要に応じて拡張され、及び、任意の種類の使用のためのアプリケーションに接続される。
【課題を解決するための手段】
【００１０】
この目的は、請求項１の特徴によって（特に、鍵を選択及び前方移動するための操作部を用いた任意の設計の少なくとも１つの鍵収容箱を提供することによって）得られる。そして、鍵収容箱のハウジングは、任意の種類のアプリケーションに接続され得る。
【００１１】
これらの手段によって、鍵を汚染から保護する装置が提供される。鍵／錠システムの耐用年数は、このように延長される。この状況において、たとえば粉末形態のグラファイト又はオイルによって、途中でユーザの衣類を汚すことなく、鍵を潤滑にしておくことが有利である。
【００１２】
本発明の一実施形態によれば、閉鎖可能な開口部がハウジングに付随する。その開口部を通して、選別手段は分離すべき複数の鍵と一緒に外側から提供される。
【００１３】
本発明の別の実施形態によれば、選別手段は、放射状の外側表面に、鍵の受け入れのための複数の受入手段を有する。選別手段は、長手方向の軸を中心に回転するために、ほぼ円筒状であり、ハウジングに回転可能に搭載される。
【００１４】
本発明によれば、少なくとも１つの鍵には、それぞれ受入手段が付随する。その受入手段内に鍵が固定されて保持される。付勢手段は、受入手段に付随する。受入手段内に配置された鍵は、ハウジングの内側に対して付勢され、ハウジングに対して相対的に移動させられる。
【００１５】
本発明の一実施形態によれば、選別手段に配置される鍵は、少なくとも１つの作動手段によって、第一の停止位置から第二の作動位置へ及び逆も同様に移動され得る。
【００１６】
本発明の一応用によれば、鍵は、選別手段の長手方向におけるハウジングに付随する少なくとも１つの閉鎖可能な出口開口部を介して伸長及びロックされ、嵌め合い施錠および動作可能な接続がもたらされるようにしてもよい。
【００１７】
本発明の別の実施形態によれば、選別手段は、ほぼ円筒状のドラム保管部として構成されて良い。それは、長手方向の軸を中心に回転するためにハウジング内に回転可能に搭載される。そして、鍵は長手方向の軸に対して多角形又は星型形状に配置される。
【００１８】
本発明の別の実施形態によれば、電気機械的制御が機械的制御の代わりに使用されてもよい。
【００１９】
本発明の簡単な実施形態によれば、装置は、タッチスクリーンの代わりに制御ノブを介して制御されてよい。制御ノブは、前方移動及び選択のための電動ドライブを制御するスイッチに動作可能に接続されていればよい。
【００２０】
本発明のさらに有利な実施形態は、従属した請求項に列挙される。
【００２１】
基本バージョンにおいて、システムは、複数の様々なタイプの鍵、たとえば５から１０個の鍵を収容することが可能であるべきである。しかし、システムの容積は、基本的に任意である。収容箱は、ベースユニットから独立して充填されるように、取り外し可能に設計されてよい。また、鍵のための保管手段は、ベースユニットに一体化した部品であってもよい。この場合、鍵は、充填時に直接ベースユニットへ挿入される。
【００２２】
ベースユニット内の鍵の幾何学的配置は、原則として任意である。たとえば、星型形状及び多角形形状をした円形の配置が考えられる。また、直線配列であって、鍵が並んで配置されてもよい。
【００２３】
鍵収容箱に収容される鍵が、カスタムメイドであり、裏側が秩序正しく保管されるための要求に適合していることが最初に想定される。このように、鍵の裏側に、線形のガイド及び前方移動のための力の付加を可能にするスライド可能な表面及び凹部が提供される。しかし、本発明は、また、商業的に利用可能な任意の種類の平らな鍵を受け入れるように適応するシステムへと拡張される。鍵の表側又は鍵小片は、関連する錠の製造者の仕様に相応して設計される。
【発明の効果】
【００２４】
本発明の重要な特性は、人間工学的な手動による作動である。これは、鍵を選択及び前方移動するための操作デバイスを結合することによって達成される。作動行程を短く保つために、作動部及び前方移動部の間に機械的ギアが提供される。ギア比は、たとえば、ラック及び小歯車機構、プーリ／チェーン駆動又はカム駆動及び／又はクランク駆動によって提供され得る。
【００２５】
作動による鍵の急速な移動は、機械的減衰によって防がれる。正しい鍵の選択は、装置に統合されたディスプレイウィンドウによって、ユーザへ表示される。このように、鍵の取り違えを回避する。基本状態において、不注意な前方向の動作が、適切な手段（例：ロック、ロックピン又はリターンスプリング）によって防がれる。
【００２６】
本発明の重要な設計特性は、モジュラー構造である。それは、ベースユニット（鍵及び操作ユニットを含む）及び他の特定の追加のユニット（いわゆるアプリケーション）から成る。それは、ユーザによって、必要に応じて補充される。
【００２７】
ベースユニットに加えて提供されるアプリケーションは、機能の範囲を拡大することによって付加価値を提供する目的を有する。加えて、本発明の保管体積は、すべての実行可能な機能がユーザによって常に持ち運ばれる必要がないため、追加モジュールの助けによって、個別の形状によって最小化される。
【００２８】
基本ユニットは、後述のように例示するモジュール又はアプリケーションに拡張することができる。
【００２９】
・選択された鍵が前方移動することによってスイッチが入る、自主電源を有する照明モジュール
・イグニッションキーを受け入れるための車両特有のアプリケーション
・装置を追跡するための無線搭載のアプリケーション
・何らかの理由で装置の収容箱内に収容することができない鍵を保管するためのアプリケーション
・例えばMP３プレーヤ等の家庭用電化製品といった様々な電子装置のためのアプリケーション
・指紋認識等によって、ユーザを特定するためのアプリケーション
・たとえば位置決め機能のためのデータリンクを含む携帯電話を装置に統合するためのアプリケーション
さらに、機能の範囲を拡張するための任意の種類の機械的及び電子的アプリケーションが考えられる。
【００３０】
アプリケションは、ベースユニットに順次連続して連結される。これは、第一の連結されたアプリケーションがベースユニットに直接つながり、すべての後続のアプリケーションがそれぞれの前のユニットに各々連結されることを意味する。
【００３１】
ベースユニットへアプリケーションを連結するために、機械的ロック機構が提供される。それは手動で容易に操作し、手動解錠に対応するロータリーフック又はバックルのいずれかとして実行される。アプリケーションをベースユニットへ任意に接続することができるために、アプリケーションのロックが標準化される。たとえば、機構の標準化はロック部材及び電気的接触の設計及び位置に関係する。
【００３２】
連結された別の機能部材は、電気エネルギー伝達及び電子形態のデータ送信に関係する。この目的ために、たとえば、接触ピン又は接触スプリングの形式において、ベースユニット及びアプリケーションの間に接触が設けられる。エネルギー及びデータの双方は、ベースユニットから隣接したアプリケーションへ、及びそこから同様に隣の隣接したユニットへ送られる。
【００３３】
前述の連結機構の標準化に加えて、エネルギー伝達及びデータ送信もまた標準化されるべきである。電気システムに関する標準化は、たとえば、単一供給電圧に言及する。一方、データ送信の標準化は、たとえば、統合データプロトコルによって保証されてよい。
【００３４】
第一のアプローチにおいて、鍵の選択及び前方移動に関連する機能は、純粋に機械的方法で操作者の操作力によって実行されるべきである。しかし、電気的に駆動する変形例も考えられる。それは、付随する電気制御及び作動ユニットを有する２つの電気モータ駆動軸から構成されると考えられる。この機能を満たすために、異なったタイプ及び／又は自動化の程度の間で違いが設けられてもよい。
【００３５】
・純粋に機械的に操作する変形例
・電気−機械的に操作する変形例
○スイッチによる操作、選択及び前方移動
○バッテリによって供給される電力
○電動−作動軸による選択機能及び前方移動
・十分に電子的に制御する変形例；
○タッチスクリーンディスプレイによる操作、選択及び、前方移動
○マイクロプロセッサによる制御
○バッテリによって供給される電力
○電動-作動軸による選択及び前方移動機能
機械的に又は電気−機械的に作動する鍵収容箱の前述の発明は、標準化された平らな鍵の保管だけを目的としているわけでない。本発明は、また、標準化されていない平らな鍵のために使用することもできる。それは、鍵の収容箱との機械的互換性が、たとえば、適切な製造者特有のアダプタによって実現される。
【図面の簡単な説明】
【００３６】
本発明は、典型的な実施形態及び添付の図面をを参照して以下に説明される。
【００３７】
図１ 本発明のシステム概略図である。それは、たとえば、ベースハウジング、任意の種類のアプリケーション、標準鍵のためのアプリケーション、自動車の鍵のためのアプリケーション、及び後端部を有する。
図２ 図１のベースハウジングの平面図である。それは、本発明の装置の部分を通る切断線を有し、その詳細は、後述の図２ａから図３ｂに示される。
図２ａ  図１による本発明の装置の側面図である。
図２ｂ  図１による本発明の装置の前面図である。
図３ 図２内の切断線Ａ-Ａに沿った本発明の装置の断面である。
図３ａ  図２内の切断線B-B、C-C及びD-Dに沿った本発明の装置の断面である。
図３ｂ  図２内の切断線E-E、F-F、G-G及びK-Kに沿った本発明の装置の断面である。
図４  部分的に断面図となっている、鍵の受け入れスライダの上面図、側面図、前面図及び拡大図における平らな、標準鍵を受け入れるための本発明のアプリケーションの詳細図である。
図５  自動車の鍵の受け入れのための本発明のアプリケーションの、部分的に断面図であり、上面視及び側面視における詳細図である。
図６  任意の種類の用途のための本発明のアプリケーションの詳細図である。
図７  本発明による多角形内に標準の平らな鍵が配置されるドラム保管装置の概要図である。そこでは、詳細 "A"は、手動操作のためのハウジング開口部を有する側面図であり、詳細 "B"は、鍵のための取出開口部を有する前面図であり、詳細 "C"は、ドラム保管装置を有するハウジング開口部の上面図であり、詳細 "D"は、詳細 "A"において線C-Cに沿った断面のドラム保管装置のサポートの断面図である。
図８  本発明によるドラム保管装置の、図７の詳細"A"及び"C"において、線B-B及びA-Aに沿った断面図である。
図８ａ  図７の詳細"A"及び"C"において線B-B及びA-Aに沿った断面に沿って、標準的な平らな鍵が配置されるパターンを有する本発明のドラム保管装置である。
図９ 本発明によるアプリケーションの実施形態の概要図である。そこで、鍵のための前方移動及び選択ドライブの制御は電気機械的であり、すべての重要なシステム状態のフィードバックのため、および、操作のために使用されるタッチ感知ディスプレイを有する。
図１０  図９による、詳細 "A"内の線A-A、及び詳細"B"内の線B-B、C-C及びE-E に沿った本発明のアプリケーションの実施形態である。
図１１  制御ボタンを有する本発明による簡単な実施形態である。それは、鍵の選択及び前方移動のための電動ドライブのためのスイッチが動作可能に接続される。
【発明を実施するための形態】
【００３８】
本発明及びその機能は、以下の図を参照してより詳細に記載される。
【００３９】
図２及び図３に示すように、断面A-Aにおいて、装置のベースユニットは、本質的に鍵収容箱２から構成される。それはベースハウジング５に収容され、それは収容箱キャリア１上を、横方向に動かされる。複数の平らな鍵３は、鍵収容箱２内に配置される。開示された実施形態においては、５つの鍵を示す。
【００４０】
取り出されるべき必要な鍵３は、操作部４の側面の変位によって選択される。操作部４は、前もって選択される鍵３を押し出すために、ベースハウジング５から外へでる前方移動機構と同時に使用される。この目的ために、ベースハウジング５は、その前端に、出口ポート５aを有する。
【００４１】
収容箱キャリア１及び鍵収容箱２は、一つのアセンブリを形成する。それは、鍵３の充填のために、ベースハウジング５から除去することができる。図３ｂに示すように、断面E-Eにおいて、収容箱キャリア１は、スプリング３１によって付勢される施錠部品６によってベースハウジング５の下部に保持される。
【００４２】
図３aに示すように、断面B-Bにおいて、戻り止めスプリング７が、収容箱キャリア１及び鍵収容箱２の間に位置する。鍵収容箱２は、切欠き２ａを有し、その中で戻り止めスプリング７に係合する。鍵収容箱２は、収容箱キャリア１に対する、そしてベースハウジング５に対する側面の変位において定義される位置に位置する。鍵収容箱２の側面の変位は、制御部材４によって、直接実行される。図３aの断面C-Cに示すように、受入手段が（たとえば側面４aにおいて）制御部材４に付着し、それは鍵収容箱２を横方向にガイドする。
【００４３】
鍵３は、鍵収容箱２の内側の基本位置に、鍵３の他の戻り止めスプリング８及び鍵凹部３aによって保持される。戻り止めスプリング８は、収容箱１が除去されるとき、鍵３が同時に落ちることを防ぐ。鍵収容箱２は、ハウジング５に浮動状で搭載される。
【００４４】
側面ガイド９は、鍵収容箱２において、鍵３が互いに接触することを防ぐ。同時に、側面ガイド９は、鍵３が取り出されるときに、摩擦を減少させる。
【００４５】
凹部２bは、そこに送り軸１０が係合し、鍵収容箱２の裏側に配置される。送り軸１０は、ドライバ１０aと一緒に設けられ、それは鍵３の上部の側面３ｂ上の対応する凹部３ａに係合する。
【００４６】
送り軸１０は、ラック及び小歯車機構によって、動かされる。送り軸１０は、この目的のために、ギアホイール１１と係合する歯部１０bをその裏側に有する。歯部１０bの反対側において、ギアホイール１１は、ラック５ｂに接続される。それは、ベースハウジング５に固定的に搭載される。
【００４７】
前方移動動作は、操作部４によって実行される。それは前方移動動作をホイールキャリア１２を介してギアホイールの車軸１３へ伝達する。このことによって、制御部材４の前方移動及び鍵３の前方移動の間の２つの要素を有するギア比が得られる。ホイールキャリア１２は、２つのテンションスプリング１４によって、基本位置に保持される。その結果、スプリング力に反して手動の前方移動が起こる。
【００４８】
前方移動動作の間に、前方移動のために選択された鍵３が、戻り止めスプリング８の力を超えて、分配スロット５ａを通ってベースハウジング５から外へ押し出される。この場合、鍵小片がベースハウジングから突出する一方で、鍵３の後部は、継続して分配スロット５ａにガイドされ、送り軸のドライバ１０aによって保持される。
【００４９】
施錠操作の間に拡張した位置に鍵を保持する力をユーザが加える必要がないことを確実にするために、施錠は、閉鎖スプリング１５によって付勢されるリリース機構を用いて実行される。操作部４が前方位置に至るときに、ロック部品１６は、トリガボタン１６ａに接続されており、操作部４及び突出した鍵３の後ろ向き動作を防ぐ。トリガボタン１６ａを押すことによって、操作部４の後ろ向き動作がリリースされ、テンションスプリング１４が鍵３を引いて再びその元の位置へ戻す。
【００５０】
ホイールキャリア１２は、送り軸１０のためのガイド１７を有し、それは前方移動動作の間に摩擦減衰を引き起こすように付勢される。ホイールキャリア１２自体は、２つのガイド壁５ｃによって横方向にガイドされる。それは、ベースハウジング５の下部に接続されている。操作部４は、鍵３を選択するため、及び、鍵収容箱２を位置決めするために、横方向に移動され、一方、ラック及び小歯車機構は、ベースハウジング５に対して中央に留置され、ガイド溝４bは、操作部の底部表面に凹みとして設けられている。ホイールャリア１２の突起は、ガイド溝４bに係合する。それを介して、前方移動方向へ操作する力が伝達される。
【００５１】
操作部４は、ガイドフランジ５ｃとは別に、プレートとして設計される。このプレートは、端領域において、２つの幅広のガイドレール５ｄによってガイドされ、それはベースハウジング５の上面に組み込まれている。ガイドレール５d下部の操作部４の横方向のクリアランスは、横方向動作及び前方移動動作の両方を可能にする。
【００５２】
図２に示すように、制御ノブ４cは、操作部４の上面に位置し、それは人間工学的理由のために指を入れるための凹部を含む。制御ノブ４cは、ベースハウジングの上部領域に配置されている凹部を通って突出する。選択された鍵を指示するために、表示矢印４dが制御部材の上面に位置する。それは、上部のハウジング凹部の後端部に位置するスケール５eを指し示す。
【００５３】
ベースハウジング５の前端は、前端部１８から形成される。端部１８は、ラッチを介してベースハウジング５に連結される。図３ｂに示すように、断面K-Kにおいて、ラッチは、端部１８に一部品として接続しているフック１９及びスプリングが充填された可動フック容器２０によって形成される。これらの２つの部品は、ベースハウジング５内の対応するように形成されている凹部５fに係合する。ラッチは、リリースボタン２０ａを押すことによって、操作者によってリリースされる。
【００５４】
図３に示すように、断面A-Aにおいて、前端部分１８は、照明２１及び電力を供給するための付随するエネルギー保管装置３０（例：バッテリ及び／又は二層キャパシタ(Goldencap)）も含む。
【００５５】
図３ａに示すように、断面B-Bにおいて、照明２１は、スイッチ２３によってオンオフされる。スイッチ２３は、操作部４の前端部によって作動され、それによって鍵３が伸びたときに照明２１が入力される。
【００５６】
ベースハウジング５の後端は、後端部２４によって形成される。それも、ロックボタン２０ａを介して連結される。後端部２４のためのロック機構は、前端部１８のためのラッチに対応する。
【００５７】
特に、後端部２４は、図１に図式的に示されるような任意のいわゆるアプリケーションによって置換されてよい。これらは、機械的及び／又は電子的機能を含む追加モジュールである。可能なアプリケーションは、図４に示すように、数が多すぎてベースハウジング５の鍵収容箱２内にすべてを収容することができない標準的な平らな安全鍵３２を受け入れることを目的とする。
【００５８】
このアプリケーションは、 鍵を受け入れるように構成されるアプリケーションハウジング２５からなる。この目的ため、鍵３２は、アダプタ２６に挿入されてよい。アダプタ２６は、個別に成形された製造者特有の鍵３２を受け入れ、アプリケーション２５ｂのアプリケーションハウジング２５にそれらをガイドする機能を有する。
【００５９】
溝２５ａ（それを通って、スライダ２６ａが突出する）は、アプリケーション２５ｂのアプリケーションハウジング２５へ横方向に挿入される。鍵３２は、スライダ２６ａによってアプリケーション２５の裏側に運び出される。スライダ２６ａは、このようにしてアダプタへ付着される。鍵３２の小片だけは、閉鎖プロセスのために、アプリケーション２５ｂから押し出される。アダプタ２５ｂの充填のために、アダプタ２５ｂはベースハウジング５から完全に除去することができる。
【００６０】
また図１に示されるように、アプリケーション３３が、自動車の鍵２７を受け入れるためにさらに提供される。それは図５により大きい詳細が示される。自動車の鍵２７は、後部からアプリケーション３３のベースハウジング内に押し入れられる。自動車の鍵は、横方向の留めバネ２８によってアプリケーション２７内に保持される。アプリケーション３３のベースハウジングの内側輪郭は、このようにして製造者特有又は車両特有に設計される。
【００６１】
ベースハウジング５及びアプリケーションから成る本発明の構造は、モジュラー構造を有する。アプリケーションは、共通の機械的インターフェース及び電気的インターフェースを有する。電気エネルギの交換及びデータの交換を要求するアプリケーションは、図１及び６に示すように、前部側面に標準化接触スプリング２９を有する。接触スプリング２９は、図３の断面A-Aに示すように、アプリケーションの裏側に、対応する接触シート２２を有してよい。
【００６２】
このように、様々なアプリケーションが連続して任意の組み合わせで配置されてよい。そこでは、モジュールの間の電力供給及びデータの交換は、常に保証される。追加の機能を提供するために必要なエネルギーを提供するために、ベースユニットはエネルギー保管装置３０を備えてもよい。ベースユニット及びアプリケーションの双方は、図６に示すように、外部データインターフェース３４を備えてもよい。
【００６３】
スロット収容箱２の保管（そこでは鍵３７は、外見上列に並んで配置される）に加えて、本発明の他の実施形態では、保管は、図７、８及び８ａに示すように、ドラム保管装置３５として提供される。
【００６４】
図７に、このようなドラム保管装置３５示す。図８の断面A-Aにおいて詳細を示すように、鍵３７は、回転軸４９周りに多角形の形態で配置される。ドラム保管装置３５は、このようにして前部ドラムベアリング３６ａ及び後部ドラムベアリング３６ｂを介してアプリケーションハウジング３６において回転するために支持される。
【００６５】
図７において詳細"A"で示すように、アプリケーションハウジング３６は、ハウジング開口部３６cを有し、それを通ってドラム保管装置３５は、必要な鍵を選択するために、外側から手で回転させられる。詳細"C"に示すように、選択された鍵は、ドラム保管装置３５におけるマーカー３５a及びアプリケーションハウジング３６における表示矢印３６dによって表示されて良い。ドラム保管装置３５は、必要な鍵が位置するそれぞれ決められた角度の位置に歯止めする。これは、戻り止めスプリング５０によって有効にされ、詳細"D"に示すように、ロック溝３５ｂにおいて係合する。
【００６６】
後部静止位置において、鍵３７は、図８の断面B-Bに示すように、戻り止めスプリング８によって歯止めをかけられる。この目的のために、鍵３７は、後端に対応する切欠き３７を有する。
【００６７】
選択された鍵３７は、カム３８ａが付着された送り軸３８によって前方移動される。カム３８ａは、選択された鍵の対応するカム凹部３７ｂに係合する。それは、上部の戻り止め位置に位置する。送り軸３８は、図７の詳細"Ｃ"に示すように、ハウジング溝３６ｅ内でガイドされる。
【００６８】
送り軸３８の後部がスライダ３８bに接続される。それは、ハウジング開口部３６fを通って、ユーザが利用しやすいように、外側に突出する。必要な鍵は、詳細"B"に示すように分配スロット３６ｇを通って送られる。
【００６９】
アプリケーションハウジング３６は、前端部３９及び後端部４０によって閉じられる。前端部３９及び後端部４０は、ロータリー又は差し込み連結３６ｈによってアプリケーションハウジング３６に取り外し可能に接続される。端部３９及び４０の代わりに、任意の数の追加モジュール又はアプリケーションがベースハウジング５に接続されてよい。
【００７０】
図８に示すように、鍵３７は、断面A-Aの詳細に示すように、ドラム保管４１内でドラム軸４９の周りに星型形状の構造で配置されてよい。鍵３７は、断面B-Bに示すように、このように外向きの放射状の２点に配置される。
【００７１】
本発明の他の実施形態は、図９に示される。そこでは、電気機械的な変形例が、前述の機械的作動の代わりに提供される。詳細"B"に示すように、この変形例は、タッチ感知ディスプレイ４２、いわゆるタッチスクリーン、を有する。制御及びすべての重要なシステム条件のフィードバック（例えば、選択された鍵の表示など）の双方は、このタッチスクリーン４２を介して実行することができる。
【００７２】
選択された鍵３７は、詳細"C"に示すように、分配スロット３６ｇを通って提供される。暗所で鍵３７の使用を促進するために、分配スロット３６ｇの隣に照明２１が提供される。電気エネルギーは、図１０の断面A-Aに示されるように、エネルギー保管装置３０（例えばバッテリなど）から、照明２１に供給される。
【００７３】
この実施形態は、図９と異なった部分が、図１０に概要として示されるように、マイクロプロセッサ４３によって制御される。ユニットは、外部インターフェース３４を介して、図示されないパーソナルコンピュータと通信するように構成される。操作のために必要なエネルギーは、ベースハウジング５に収容されるエネルギー保管装置３０によって供給される。
【００７４】
鍵３７の選択のための動作は、電動ドライブ４５により実行され、鍵３７は、電動ドライブ４４により前方移動される。電動ドライブ４４及び４５は、マイクロプロセッサによってそれらに送られる命令を変換する。
【００７５】
必要な力は、図３に示されるラック及び小歯車機構と同様に伝達される。それは、ドライバ１０ａ及び歯部１０ｂを有する送り軸１０から構成される。鍵収容箱２の横推力は、断面A-Aに示すように、歯付ラック５１によって提供される。システムの状態及び調整軸の現在位置のフィードバックは、適切なセンサの使用によって得られる。
【００７６】
簡単な変形例において、操作は、図１１に詳細を示すように、タッチスクリーン４２の代わりに制御ノブ４７を介して実行してよい。制御ノブ４７は、電動ドライブ４４及び４５を制御するスイッチ４８と動作可能に接続される。ドラム軸４９及び星型−形状の構造に配置される鍵３７の位置の検知は、それぞれの最終位置の検知に制限される。
【符号の説明】
【００７７】
１ 収容箱キャリア
２ 鍵収容箱
２a 切欠き
２b 凹部
２c ドラムメモリ
３ 鍵
３a 鍵凹部
３ｂ 鍵上面
４ 制御部材
４a 側壁
４b ガイド溝
４c 制御ノブ
４d 表示矢印
５ ベースハウジング
５a 分配スロット
５b 歯付ラック
５ｃ ガイド壁
５d  ガイドレール
５e スケール
５f 凹部
６ ロック部品
７、８ 戻り止めスプリング
９ 側面ガイド
１０ 送り軸
１０a ドライバ
１０b 歯部
１１ ギアホイール
１２ ホイールキャリア
１３ ギアホイール軸 
１４ テンションスプリング
１５ 閉鎖スプリング
１６ ロック部品
１６ａ トリガボタン
１７  ガイド
１８  前端部
１９ フック
２０  フック容器
２０a リリースボタン
２１ 照明
２２  接触シート
２３ スイッチ
２４  後端部
２５  アプリケーションハウジング 
２５ａ 溝
２５ｂ 標準的な鍵のためのアプリケーション
２６  アダプタ 
２６ａ スライダ
２７  自動車の鍵
２８  留めバネ
２９ 接触スプリング
３０  エネルギー保管装置
３１  ロック部品
３２  標準鍵
３３  自動車の鍵のためのアプリケーション 
３４  データインターフェース
３５  ドラム保管
３５a  マーカー
３５b ドラムロック溝
３６ アプリケーションハウジング
３６ａ ドラムベアリング、前部
３６b ドラムベアリング、後部
３６c ハウジング開口部
３６d 表示矢印
３６e ハウジング溝
３６f  ハウジング開口部
３６g  分配スロット
３６h  ロータリー又は差し込み錠 
３７  鍵
３７a  切欠き
３７b ドライバ凹部
３８  送り軸
３８a  ドライバ
３８b  スライダ
３９ 前端部
４０  後端部
４１  星型形状ドラム
４２  タッチディスプレイ
４３  マイクロプロセス又は制御
４４  電動ドライブ、前方移動 
４５  電動ドライブ、選択
４６  センサ
４７  制御ノブ
４８  スイッチ
４９ 回転軸
５０  ドラム戻り止めスプリング
５１  歯付ラック
【図１】
2013545911.tif 000003
【図２】
2013545911.tif 000004
【図２ａ】
2013545911.tif 000005
【図２ｂ】
2013545911.tif 000006
【図３】
2013545911.tif 000007
【図３ａ】
2013545911.tif 000008
【図３ｂ】
2013545911.tif 000009
【図４】
2013545911.tif 000010
【図５】
2013545911.tif 000011
【図６】
2013545911.tif 000012
【図７】
2013545911.tif 000013
【図８】
2013545911.tif 000014
【図８ａ】
2013545911.tif 000015
【図９】
2013545911.tif 000016
【図１０】
2013545911.tif 000017
【図１１】
2013545911.tif 000018
【国際調査報告】
2013545911.tif 000019
2013545911.tif 000020
2013545911.tif 000021
2013545911.tif 000022
2013545911.tif 000023
2013545911.tif 000024